(57)【要約】      （修正有）【課題】折り畳まれた用紙を排出順に正しく、且つ、積載崩れを起こすことなく、集積する用紙集積装置を提供する。【解決手段】折り処理され排出された用紙をその先端を受ける停止部材104を持つ搬送積載手段により搬送時に、搬送用紙を支持手段111に回転自在に支持された押さえ手段110aで押さえる。よって中綴じ後、中折り処理された用紙、用紙束に対しふくらみが大きな先頭部及び後端部に対して押さえ作用を有効に作用させる。【選択図】図３
2010163218.tif 000002
【特許請求の範囲】
【請求項１】
折り処理され、排出された用紙を受け、搬送し積載する搬送積載手段、
該搬送積載手段により搬送される用紙を止める用紙停止部材、
前記搬送積載手段により搬送される用紙を押さえる押さえ手段及び、
該押さえ手段を支持する支持手段を有する用紙集積装置であって、
前記押さえ手段は、遊びを有する状態で前記支持手段に回転可能に支持されていることを特徴とする用紙集積装置。
【請求項２】
前記押さえ手段は、前記支持手段により支持される基部及び該基部の先端で回転自在に支持された押さえコロを有することを特徴とする請求項１に記載の用紙集積装置。
【請求項３】
前記支持手段は突起又は長孔を有する支持部材からなり、前記押さえ手段は前記突起又は前記長孔に遊びを有する状態で係合する長孔又は突起を有することを特徴とする請求項１に記載の用紙集積装置。
【請求項４】
前記搬送積載手段は搬送ベルトを有し、該搬送ベルトは用紙搬送方向下流側が搬送方向上流側よりも高くなるように傾斜していることを特徴とする請求項１〜３のいずれか１項に記載の用紙集積装置。
【請求項５】
用紙搬送方向に関して、前記押さえ手段の用紙押さえ位置と異なる位置で用紙を押さえる他の押さえ手段を有することを特徴とする請求項１〜４のいずれか１項に記載の用紙集積装置。
【請求項６】
前記搬送積載手段の用紙搬送面から突出して用紙を搬送する搬送ローラを有することを特徴とする請求項１〜５のいずれか１項に記載の用紙集積装置。
【請求項７】
用紙を折り処理する折り部及び請求項１〜６のいずれか１項に記載の用紙集積装置を有することを特徴とする用紙後処理装置。
【請求項８】
用紙に画像を形成する画像形成装置及び請求項７に記載の用紙後処理装置を有することを特徴とする画像形成システム。
【発明の詳細な説明】
【技術分野】
【０００１】
本発明は折り処理され排出された用紙を集積する用紙集積装置の改良に関し、さらに、かかる用紙集積装置を備えた用紙後処理装置及び画像形成システムに関する。
【背景技術】
【０００２】
画像形成装置の付属装置として用いられる用紙後処理装置としては、用紙に対して、中折り（二つ折り）、三つ折り等の折り処理を施す用紙後処理装置がある。
【０００３】
このような用紙後処理装置から排出された用紙は、平板シート状ではなく、折り畳まれたものであるために、排出用紙の集積には、特有の集積装置が用いられる。
【０００４】
特許文献１では、排出された用紙をベルト機構で搬送集積し、ベルト機構上の用紙を押さえアームで押さえることにより、積載崩れを起こすことなく、多数枚の用紙を集積している。
【先行技術文献】
【特許文献】
【０００５】
【特許文献１】特開平１１−１９３１６２号公報
【発明の概要】
【発明が解決しようとする課題】
【０００６】
特許文献１に開示された用紙集積装置では、次に説明するように、折り畳まれた用紙を整然と集積することが困難であるとともに、用紙を集積装置から取り出す際の作業性がよくないという問題がある。
【０００７】
特許文献１においては、固定した軸の周りに回転する押さえアームを用いて用紙を押さえている。
【０００８】
折り畳まれた用紙を押さえる押さえ手段を設けることの主な目的は、折り畳まれた用紙のふくらみを押さえることにある。このためには、用紙の折り目近傍を押さえることが必要であり、折り目を先頭にして排出される用紙では、排出される用紙の先頭部を押さえるように押さえアームが作られる。
【０００９】
一方、連続して排出される用紙を排出順に正しく集積するには、先に排出された用紙の後端部を押さえて、後から排出された用紙を確実に、先行用紙の上に載せる必要がある。ところが、特許文献１のように用紙の先頭部を押さえる押さえアームでは、用紙の後端を押さえないので、後行用紙が先行用紙の下に入るか又は複数枚重なった先行用紙の後端間にもぐり込む場合が生ずる。
【００１０】
さらに、押さえアームとして、かなりの長さを有する部材が必要になる。このような長い部材が用紙の上に載った状態では、用紙集積装置から用紙を取り出す際に、押さえアームが邪魔になり、用紙を取り出す際の作業性が低下するという問題がある。
【００１１】
本発明は、折り畳まれた用紙を集積する従来の用紙集積装置におけるこのような問題を解決し、折り畳まれた用紙を排出順に正しく整然と集積し、かつ、集積用紙を取り出す際の作業性を向上した用紙集積装置、かかる用紙集積装置を有する用紙後処理装置及び後処理装置を含む画像形成システムを提供することを目的とする。
【課題を解決するための手段】
【００１２】
前記目的は下記の発明により達成される。
【００１３】
１．折り処理され、排出された用紙を受け、搬送し積載する搬送積載手段、
該搬送積載手段により搬送される用紙を止める用紙停止部材、
前記搬送積載手段により搬送される用紙を押さえる押さえ手段及び、
該押さえ手段を支持する支持手段を有する用紙集積装置であって、
前記押さえ手段は、遊びを有する状態で前記支持手段に回転可能に支持されていることを特徴とする用紙集積装置。
【００１４】
２．前記押さえ手段は、前記支持手段により支持される基部及び該基部の先端で回転自在に支持された押さえコロを有することを特徴とする前記１に記載の用紙集積装置。
【００１５】
３．前記支持手段は突起又は長孔を有する支持部材からなり、前記押さえ手段は前記突起又は前記長孔に遊びを有する状態で係合する長孔又は突起を有することを特徴とする前記１に記載の用紙集積装置。
【００１６】
４．前記搬送積載手段は搬送ベルトを有し、該搬送ベルトは用紙搬送方向下流側が搬送方向上流側よりも高くなるように傾斜していることを特徴とする前記１〜３のいずれか１項に記載の用紙集積装置。
【００１７】
５．用紙搬送方向に関して、前記押さえ手段の用紙押さえ位置と異なる位置で用紙を押さえる他の押さえ手段を有することを特徴とする前記１〜４のいずれか１項に記載の用紙集積装置。
【００１８】
６．前記搬送積載手段の用紙搬送面から突出して用紙を搬送する搬送ローラを有することを特徴とする前記１〜５のいずれか１項に記載の用紙集積装置。
【００１９】
７．用紙を折り処理する折り部及び前記１〜６のいずれか１項に記載の用紙集積装置を有することを特徴とする用紙後処理装置。
【００２０】
８．用紙に画像を形成する画像形成装置及び前記７に記載の用紙後処理装置を有することを特徴とする画像形成システム。
【発明の効果】
【００２１】
本発明においては、排出された用紙を搬送し集積する搬送集積手段の上で用紙を押さえる押さえ手段を遊びがある状態で支持手段に回転自在に支持させている。
【００２２】
したがって、押さえ部材は大きな自由度をもって用紙に追従し作動する。これにより、１枚の中折り処理された、又は複数枚で中綴じ後、中折り処理された用紙、用紙束に対して、そのふくらみが大きな先頭部及び後端部に対してともに、押さえ手段の押さえ作用が有効に作用する。
【００２３】
また、押さえ手段の作動の自由度が大きいので、押さえ手段を小型に形成することが可能となる。これにより、集積された用紙を取り出す際に押さえ手段が邪魔になることがなく、取り出し作業性が向上する。
【図面の簡単な説明】
【００２４】
【図１】画像形成装置Ａ及び本発明の実施の形態に係る用紙後処理装置ＦＳを備える本発明の実施の形態に係る画像形成システムの全体図である。
【図２】折り部５０及び本発明の実施の形態に係る用紙集積装置としての下部排紙部１００の正面図である。
【図３】下部排紙部１００の正面断面図である。
【図４】用紙Ｓが下部排紙部１００に排出された状態を示す図である。
【図５】用紙搬送集積手段の基部の平面図である。
【発明を実施するための形態】
【００２５】
本発明を図示の実施の形態に基づいて説明するが、本発明は該実施の形態に限定されない。
【００２６】
図１は画像形成装置Ａ及び本発明の実施の形態に係る用紙後処理装置ＦＳを備える本発明の実施の形態に係る画像形成システムの全体図である。
【００２７】
〔画像形成装置Ａ〕
図示の画像形成装置Ａは、画像読取部１、画像処理部２、画像書込部３、画像形成部４、給紙カセット５、給紙手段６、定着装置７、排紙部８、自動両面コピー給紙部（ＡＤＵ）９を備えている。
【００２８】
画像形成装置Ａの上部には、自動原稿送り装置ＤＦが搭載されている。画像形成装置Ａの図示の左側面の排紙部８側には、用紙後処理装置ＦＳが連結されている。
【００２９】
自動原稿送り装置ＤＦの原稿台上に載置された原稿は矢印方向に搬送され画像読み取り部１の光学系により原稿の片面又は両面の画像が読みとられ、ＣＣＤイメージセンサ１Ａに読み込まれる。
【００３０】
ＣＣＤイメージセンサ１Ａにより光電変換されたアナログ信号は、画像処理部２において、アナログ処理、Ａ／Ｄ変換、シェーディング補正、画像圧縮処理等を行った後、画像書込部３に送られる。
【００３１】
画像形成時には、画像書込部３の半導体レーザから出力光が発せられ、画像形成部４の感光体ドラム４Ａが照射されて潜像が形成される。画像形成部４においては、帯電、露光、現像、転写、分離、クリーニング等の処理が行われ感光体ドラム４Ａ上にトナー像が形成される。給紙カセット５から給紙手段６により給送された記録用紙Ｓ１は、感光体ドラム４Ａに接触し、転写手段４Ｂによりトナー像が記録用紙Ｓ１に転写される。トナー像を担持した記録用紙Ｓ１は、定着装置７により定着処理され、排紙部８から用紙後処理装置ＦＳに送り込まれる。両面コピーの場合には、片面画像処理済みの記録用紙Ｓ１は搬送路切り替え板８Ａにより自動両面コピー給紙部９に送り込まれ、画像形成部４において裏面にトナー像が転写され、定着された後、排紙部８から排出される。
【００３２】
〔用紙後処理装置ＦＳ〕
用紙後処理装置ＦＳは、用紙搬入部２０と、挿入紙給紙部３０ａ、３０ｂと、複数の後処理部とを有する。後処理部しては、穴あけ処理部４０、折り部５０、重ね合わせ処理部６０、綴じ処理部７１、７２、排紙部８０及び本発明の実施の形態に係る用紙集積装置としての下部排紙部１００を有する。
【００３３】
挿入紙給紙部３０ａには挿入紙Ｓ２が装填され、挿入紙給紙部３０ｂには他の挿入紙Ｓ３が装填される。
【００３４】
挿入紙Ｓ２、Ｓ３は、画像形成装置Ａから排出される複数枚の記録用紙Ｓ１の間に挿入される表紙用紙やインサート用紙等の挿入紙であり、記録用紙Ｓ１と同様に、穴あけ処理や折り処理を行うことが出来る。
【００３５】
挿入紙給紙部３０ａ、３０ｂから送り出された挿入紙Ｓ２、Ｓ３は下方に向かう搬送路（参照符号なし）を経て用紙搬入部２０に搬送される。
【００３６】
穴あけ処理部４０は、用紙搬入部２０に配置される。
【００３７】
なお、以下の説明では、記録用紙Ｓ１、挿入紙Ｓ２、Ｓ３を総称して用紙Ｓと称する。
【００３８】
折り部５０は、用紙搬入部２０から下方に分岐した搬送路Ｈ１上に配設されている。
【００３９】
重ね合わせ処理部６０は、用紙搬入部２０から上方に分岐した搬送路Ｈ２の下流側に配設され、搬送路Ｈ３、Ｈ４、Ｈ５を備えている。
【００４０】
重ね合わせ処理部６０は、下流側に位置する綴じ処理部７１において、先行する用紙Ｓに綴じ処理するための時間を確保するために、後続の用紙Ｓを搬送路Ｈ３及び搬送路Ｈ４、Ｈ５に待機させる。
【００４１】
搬送路Ｈ２の下流側に位置する搬送路は、二重に湾曲する搬送路に分岐し、内側の搬送路Ｈ４と外側の搬送路Ｈ３、Ｈ５とに分かれる。
【００４２】
搬送路Ｈ２から分岐して湾曲する内側の搬送路を形成する搬送路Ｈ４の排出口には、搬送ローラ２１が設けられ、綴じ処理を行う用紙Ｓの１枚目が搬送されてきた場合、回転を停止した状態で用紙先端を受け止め搬送ローラ２１に当接した状態で待機させる。
【００４３】
搬送路Ｈ２を搬送された用紙Ｓは、前記のように、搬送ローラ２１に先頭が突き当たった状態で待機するが、後続の用紙Ｓは、搬送路Ｈ２から搬送路Ｈ３に進入して、搬送ローラ２１に到達する。
【００４４】
搬送ローラ２１からは、先行する用紙Ｓと後行する用紙Ｓとが重なった状態で、２枚一緒に搬送され、集積部７０へと搬送される。
【００４５】
搬送路Ｈ３は、搬送路Ｈ２の下流において、搬送路Ｈ２に連続しており、搬送路Ｈ５は、搬送路Ｈ３に連続する。
【００４６】
搬送路Ｈ３は、搬送路Ｈ５と搬送路Ｈ６に分岐している。
【００４７】
そして、搬送路Ｈ６は、固定排紙皿８１に用紙Ｓを排出する排紙路を形成する。
【００４８】
固定排紙皿８１は、搬送路Ｈ３上の搬送ローラ２４において重ね合わせ処理部６０から分岐する搬送路Ｈ６の下流側で、用紙後処理装置ＦＳの機外に突出する位置に配設されている。
【００４９】
固定排紙皿８１は前記に説明したように、搬送路Ｈ２、Ｈ３、Ｈ６を経て搬送され、排出された用紙Ｓを集積する。
【００５０】
排紙部８０は排紙ローラ２２及び整合機構を有し、用紙Ｓを昇降排紙皿８２に排出する。整合機構は図示しないが、搬送排出方向に直角な水平方向に往復移動して用紙を整合する周知のもので構成される。
【００５１】
排紙ローラ２２は、一対のローラからなり、非排紙時には、一対のローラは離間しており、排紙時に接触して用紙Ｓをニップし搬送して、昇降排紙皿８２に排出する。
【００５２】
搬送ローラ２１により搬送される用紙Ｓは、排紙ローラ２２を構成し、離間している一対のローラ間を左方向に走行し、後端が搬送ローラ２１から離れたときに、集積部７０に落下し、傾斜している集積部７０を滑落してストッパ（図示せず）により受け止められて集積部７０上で停止する。
【００５３】
設定枚数の用紙Ｓが集積部７０上に集積されたときに、綴じ処理部７１が作動して用紙Ｓを綴じ処理する。
【００５４】
綴じ処理された用紙Ｓに対しては、排紙ローラ２２を構成する一対のローラが用紙Ｓをニップし搬送して、集積部７０上を左上方に搬送し、昇降排紙皿８２に排出する。
【００５５】
折りモードにおいては、用紙Ｓは用紙搬入部２０から搬送路Ｈ１を下方に搬送され、折り部５０において、中折り又は三つ折り処理されて下部排紙部１００に排出される。
【００５６】
中綴じモードにおいては、用紙Ｓは用紙搬入部２０から搬送路Ｈ１を搬送され、綴じ処理部７２において、中綴じ処理され、折り部５０において、中折り処理された後に、下部排紙部１００に排出される。
【００５７】
以上説明したように用紙Ｓの排紙経路としては、次の４経路がある。
１）用紙搬入部２０→搬送路Ｈ２→搬送路Ｈ３→搬送路Ｈ６→固定排紙皿８１
２）用紙搬入部２０→搬送路Ｈ２→搬送路Ｈ３、Ｈ４、Ｈ５→集積部７０→排紙部８０→昇降排紙皿８２
３）用紙搬入部２０→搬送路Ｈ２→Ｈ４→排紙部８０→昇降排紙皿８２
４）用紙搬入部２０→搬送路Ｈ１→折り部５０→下部排紙部１００
経路１）、２）及び４）は前記に説明したとおりである。
【００５８】
経路３）は、綴じ処理や、折り処理を施すことなく、大量の画像形成を行う際に選択される。
【００５９】
用紙Ｓは、後処理なしで、昇降排紙皿８２に排出され、昇降排紙皿８２は、排紙される用紙Ｓの最上面が常に一定した高さになるように図の鎖線で示すように下方に移動する。
【００６０】
したがって、昇降排紙皿８２上には、数千枚の用紙を集積することが可能である。
【００６１】
＜折り部＞
図２は折り部５０及び本発明の実施の形態に係る用紙集積装置としての下部排紙部１００の正面図である。
【００６２】
図１における搬送路Ｈ１は、折り部５０に用紙を送る搬送路を形成する。搬送路Ｈ１は上流部で用紙Ｓを案内する案内部材５１Ａ、下流部で用紙Ｓを案内する案内部材５１Ｂ及び制御部材５１Ｃで構成される。制御部材５１Ｃは、用紙Ｓの下端を所定位置に規制する部材であり、用紙サイズに応じて変位可能である。折り部５０は、折り板５２、折り上ローラ（以下、上ローラと称す）５３、折り下ローラ（以下、下ローラと称す）５４、折りローラ５５、切り替え案内手段としての搬送路切替部材５７、案内部材５８及び先端停止部材５８１を備え、用紙Ｓを二つ折りする処理又は三つ折りする処理を行う。
【００６３】
第１の折り手段を構成する上ローラ５３、下ローラ５４は、また、搬送により用紙Ｓを屈曲させて、下ローラ５４と折りローラ５５との間に挿入する搬送手段を構成する。
【００６４】
下ローラ５４と折りローラ５５とは用紙Ｓをニップして搬送することにより用紙Ｓを折り処理する第２の折り手段を構成する。
【００６５】
下ローラ５４は前記搬送手段及び前記折り手段に共用されるが、前記搬送手段と前記折り手段とをそれぞれ一対のローラで構成し、４個のローラで用紙折り装置を構成することも可能である。
【００６６】
搬送路切替部材５７はソレノイド（図示せず）により駆動されて揺動可能であり、三つ折り処理時には、点線で示す位置に設定されて用紙Ｓを案内部材５８で形成される搬送路に案内する。
【００６７】
搬送路切替部材５７は、二つ折り、即ち、中折り及び中綴じ・中折りには、実線の位置に設定されて、案内部材６２と案内部材６３とにより形成される搬送路を経て排出するように用紙Ｓを案内する。
【００６８】
５８は上ローラ５３と下ローラ５４とにより搬送される用紙Ｓを案内する案内部材である。上ローラ５３と下ローラ５４とにより形成される搬送方向に対して、案内部材５８の用紙案内方向は、用紙Ｓを図における下方に凸となるように曲げるように形成されている。
【００６９】
５８１は用紙Ｓの先端止める先端停止部材である。
【００７０】
上ローラ５３、下ローラ５４、案内部材５８及び先端停止部材５８１をこのように構成することにより、上ローラ５３及び下ローラ５４の回転により用紙Ｓを搬送し、先端停止部材５８１により先端が停止した用紙Ｓは上ローラ５３及び下ローラ５４と、案内部材５８との間で図の下方に屈曲する。
【００７１】
５９、６１は排紙ローラである。排紙ローラ５９は折りローラ５５に接触し、折りローラ５５に従動して回転する。排紙ローラ６１はベルト６５を介して排紙ローラ５９に従動して回転する。６４は三つ折りされた用紙を案内する案内部材である。
【００７２】
以上の構成を有する折り部５０の折り動作について説明する。
【００７３】
１）二つ折り処理（中折り及び中綴じ・中折り）
中折り処理は、用紙Ｓの搬送方向に関して中央部において折り処理するモードであり、中折り・中綴じ処理は、用紙Ｓの前記中央部を綴じ処理するとともに、前記中央部で中折り処理するモードである。
【００７４】
中折り処理においては、設定枚数の用紙Ｓが、規制部材５１Ｃにより受け止められて集積される。設定枚数の用紙Ｓが規制部材５１Ｃで規制された集積された段階で、折り板５２が駆動手段（図示せず）により駆動されて用紙Ｓの折り目を上ローラ５３、下ローラ５４の間に挿入する。
【００７５】
中折り・中綴じ処理においては、設定枚数の用紙Ｓが、規制部材５１Ｃにより受け止められて集積される。設定枚数の用紙Ｓが規制部材５１Ｃで規制された集積された段階で、綴じ処理部７２が作動して用紙Ｓの中央部に綴じ針を打ち込む綴じ処理を行う。
【００７６】
綴じ処理が終了した段階で、規制部材５１Ｃが移動して、用紙Ｓの中央部を折り板５２の位置まで下げる。
【００７７】
中折り処理における設定枚数集積段階及び中折り・中綴じ処理における綴じ処理終了段階で、折り板５２の作動と同時に上ローラ５３、下ローラ５４それぞれが矢印のように回転して、用紙Ｓを折り処理しつつ搬送する。
【００７８】
折り板５２は用紙Ｓが上ローラ５３、下ローラ５４間にニップされた段階で用紙Ｓの搬送方向と反対方向に移動して退避する。
【００７９】
上ローラ５３、下ローラ５４により折り処理された用紙Ｓは折り目を先頭にして搬送され、実線の位置に設定された搬送路切替部材５７の案内でその下方を通過し、案内部材６２と案内部材６３とにより案内され排紙ローラ５９により排出される。
【００８０】
２）三つ折り処理
三つ折り処理においては、搬送路切替部材５７は点線で示す位置に設定される。
【００８１】
用紙Ｓは搬送路Ｈ１を搬送され、その先端が規制部材５１Ｃに突き当たって停止する。
【００８２】
設定枚数の用紙Ｓが規制部材５１Ｃで規制され集積した段階で、折り板５２が駆動手段（図示せず）により駆動されて用紙Ｓの折り目を上ローラ５３と下ローラ５４との間に挿入する。
【００８３】
折り板５２の作動と同時に上ローラ５３、下ローラ５４及び折りローラ５５それぞれが矢印のように回転して、用紙Ｓを折り処理しつつ搬送する。
【００８４】
折り板５２は用紙Ｓが上ローラ５３、下ローラ５４間にニップされた段階で用紙Ｓの搬送方向と反対方向に移動して退避する。
【００８５】
上ローラ５３と下ローラ５４とにより折り処理された用紙Ｓは搬送路切替部材５７により案内されて案内部材５８により形成された搬送路に、折り目を先頭にして進行する。用紙Ｓの折り目は先端停止部材５８１に突き当たって停止する。
【００８６】
用紙Ｓの折り目が先端停止部材５８１に突き当たった後も上ローラ５３、下ローラ５４及び折りローラ５５は回転を継続する。
【００８７】
上ローラ５３、下ローラ５４の回転継続により、用紙Ｓは上ローラ５３、下ローラ５４間のニップと先端停止部材５８１との間で撓み湾曲する。
【００８８】
この撓みにより形成された用紙Ｓの折り目が下ローラ５４と折りローラ５５とにより形成されるニップに進入し、折り目が形成され、用紙Ｓに２番目の折り目が形成されて用紙Ｓが三つ折りされる。
【００８９】
三つ折りされた用紙Ｓは案内部材６４により案内され排紙ローラ６１により排出される。
【００９０】
＜下部排紙部＞
図２、３により下部排紙部１００を説明する。図３は下部排紙部１００の正面断面図である。下部排紙部１００は折り処理され排出された用紙Ｓを集積する。下部排紙部１００は、折り部５０により折り処理され排出された用紙Ｓを搬送し集積する搬送集積手段としての搬送ベルト１０１を備える。下部排紙部１００は排紙方向の上流側のプーリ１０２及び下流側のプーリ１０３に張架された搬送ベルト１０１、用紙停止部材１０４及び用紙Ｓを押さえる押さえ手段としての押さえ部材１１０及び他の押さえ手段としての押さえ部材１１２等で構成される。
【００９１】
１０１は折り部５０から排出された用紙ＳをＷ１方向に搬送する搬送ベルトであり、幅方向に並列配置された２本のベルト１０１１、１０１２（図５参照）からなる。１０２、１０３は搬送ベルト１０１を張架するローラ、１０４は用紙Ｓを止める用紙停止部材、１０５は折り部５０から排出された用紙Ｓを案内する案内部材、１０６は用紙Ｓの搬送力を増す大径の搬送ローラである。
【００９２】
１１１は押さえ部材１１０、１１２を支持する支持部材であり、用紙後処理装置のフレームに固定されている。
【００９３】
支持部材１１１は押さえ部材１１０を支持する支持手段としての支持軸１１１ａを有する。なお、支持軸１１ａにより押さえ部材１１０、１１２が回転自在に支持される。
【００９４】
押さえ部材１１０は用紙Ｓを押さえる押さえコロ１１０ａ及び押さえコロ１１０ａを回転自在に支持する基部１１０ｂからなる。押さえコロ１１０ａは基部１１０ｂに回転自在に支持されている。
【００９５】
基部１１０ｂは支持軸１１１ａに回転自在に支持されるが、この支持機構は、遊びを有する状態で基部１１０ｂを回転自在に支持するものである。即ち、基部１１０ｂは長孔１１０ｃを有し、長孔１１０ｃに支持軸１１１ａが嵌入している。この支持機構では、支持軸１１１ａが長孔１１０ｃ内で移動しながら基部１１０ｂが回転する。前記遊び、即ち、支持軸１１１ａの直径と、長孔１１０ｃの長さとの差は４〜１０ｍｍ程度であることが好ましい。
【００９６】
なお、遊びを有する状態で押さえ部材１１０を支持する機構としては、押さえ部材１１０に設けられた軸を支持部材１１１に設けられた長孔で支持する機構であってもよい。
【００９７】
押さえ部材１１２は支持軸１１１ａの周りに回転自在に支持されている。
【００９８】
押さえ部材１１０、１１２はいずれも自重で用紙Ｓを押さえる。
【００９９】
図３及び図４を参照して、下部排紙部１００に用紙が排出される際の下部排出部１００の各部の作動を説明する。
【０１００】
図３は下部排紙部１００に用紙Ｓがない初期状態を示し、図４は用紙Ｓが下部排紙部１００に排出された状態を示す。なお、図４においては、押さえ部材１１２が省略されている。
【０１０１】
用紙Ｓが搬送ベルト１０１上にないときは、押さえ部材１１０、１１２は図３に示す状態にある。即ち、押さえ部材１１０は押さえコロ１１０ａが支持軸１１１ａの真下となるように垂れ下がっている。この状態では、支持軸１１１ａは長孔１１０ｃの上端縁に接触している。
【０１０２】
押さえ部材１１２は図示しない規制部材により、図３に示す角度、即ち、時計の略「８時」の角度に支持され、初期状態においては、図示のように、これら押さえ部材１１２の下端が搬送ベルト１０１から若干離間している。したがって、用紙Ｓが押さえ部材１１２の下に入り込むように構成されている。
【０１０３】
用紙Ｓは折り目を先頭にして下部排紙部１００に排出される。用紙Ｓが排出されると、図４（ａ）に示すように、押さえ部材１１０の押さえコロ１１０ａは用紙Ｓの折り目Ｓにより押されて上昇し、基部１１０ｂは時計方向に回転する。この回転において、基部１１０ｂが押し上げられる結果、基部１１０ｂは回転とともに、その回転中心が変位する。即ち、支持軸１１１ａと長孔１１０ｃの関係は、図３のように、支持軸１１１ａが長孔１１０ｃと上端から図４（ａ）の下端位置〔図４（ａ）では左端位置〕へと変わるように変化する。
【０１０４】
なお、押さえコロ１１０ａは用紙Ｓに接触して矢印のように回転する。
【０１０５】
用紙Ｓが搬送ベルト１０１により搬送され、用紙Ｓの後端Ｓｂが押さえ部材１１０の位置に達する、即ち、図４（ｂ）に示す位置に用紙Ｓが進行した状態では、用紙Ｓの後端Ｓｂが押さえ部材１１０により押さえられる。
【０１０６】
用紙Ｓの後端Ｓｂを押さえ部材１１０が押さえることにより、図示のように、２枚重なった後端Ｓｂの開きが押さえられる。図４（ｂ）の状態で次の用紙Ｓが搬送ベルト１０１上に折り部５０から放出されるが、放出された用紙Ｓは、押さえコロ１１０ａを押し上げて、先行する用紙Ｓと押さえコロ１１０ａとの間に進入する。
【０１０７】
後端Ｓｂが浮き上がった状態では、後続の用紙Ｓの先頭が、先行する用紙Ｓの２枚の後端の間に挿入されることがある。押さえ部材１１０によりこのような不具合が良好に防止される。
【０１０８】
図５に示されるように、搬送ベルト１０１は用紙Ｓの搬送方向Ｗ１に直角な幅方向に並列して配置された２本のベルト１０１１、１０１２からなる。２本のベルト１０１１、１０１２に対応して、２個のプーリ１０２１、１０２２が設けられる。図５は用紙搬送集積手段の基部の平面図である。
【０１０９】
２個のプーリ１０２１、１０２２のそれぞれの両側に大径の搬送ローラ１０６１〜１０６４が設けられる。
【０１１０】
図示のように、大径の搬送ローラ１０６１〜１０６４の半径Ｒ２は、プーリ１０２１、１０２２に張架されたベルト１０１１、１０１２が形成する円の半径Ｒ１よりも大きい。したがって、大径の搬送ローラ１０６、１０６１〜１０６４は図２〜５に示すように、搬送ベルト１０１の搬送面から突出する。折り部５０から放出された用紙Ｓは、その先端が搬送ベルト１０１の上に載った後に、その後端が大径の搬送ベルト１０１の上に載る。このような排紙過程において、Ｓの後端は大径の搬送ローラ１０６により搬送される。大径の搬送ローラ１０６の搬送速度は径が大きい分搬送ベルト１０１よりも高いので、用紙Ｓは、下部排紙部１００における搬送初期において、確実に搬送され、図４に示すように鱗状に整然と集積される。
【符号の説明】
【０１１１】
Ａ  画像形成装置
ＦＳ  用紙後処理装置
５０  折り部
１００  下部排紙部
１０１  搬送ベルト
１０４  用紙停止部材
１０６  大径の搬送ローラ
１１０、１１２  押さえ部材
１１０ａ  押さえコロ
１１１  支持部材
１１１ａ  支持軸
１１０ｃ  長孔
【図１】
2010163218.tif 000003
【図２】
2010163218.tif 000004
【図３】
2010163218.tif 000005
【図４】
2010163218.tif 000006
【図５】
2010163218.tif 000007